Podtech/llm-jp-corpus-v4-ja_patent huggingface dataset:
【手続補正書】
【提出日】平成15年11月14日(2003.11.14)
【手続補正１】
【補正対象書類名】明細書
【補正対象項目名】全文
【補正方法】変更
【補正の内容】
【発明の名称】理美容用レザーホルダー
【特許請求の範囲】
【請求項１】先端縁に櫛目状の突出片（５）（５ａ）を設けてレザー（３）（３ａ）を保持する本体（１）（１ａ）において、前記レザー（３）（３ａ）を保持するホルダー部（４）（４ａ）の、先端縁に成形した前記櫛目状突出片（５）（５ａ）の先端にカットされる毛髪（ｈ）を分けてすき量を調節する溝（ａ）を設けた事を特徴とする理美容用レザーホルダー。
【請求項２】一方にホルダー部（４）（４ａ）と他方に把柄部（２）（２ａ）を設けた本体（１）（１ａ）の前記ホルダー部（４）（４ａ）のレザー（３）（３ａ）の先端刃部を、前記把柄部（２）（２ａ）の中心線（ｍ）上或は中心線（ｍ）の後部に位置させた理美容用レザーホルダー。
【発明の詳細な説明】
【発明の属する技術分野】
本発明は、レザーによって毛髪をカットしてすく時、すき量の調節が容易となり、かつ作業時にグリップの操作感が安定した、力を効率よく伝達することが可能となる理美容用レザーホルダーに関するものである。
【従来の技術】
多い毛髪をすく目的の従来のレザーカットのホルダーは、図７に示すように、約半分からの一方側に把柄（グリップ）ｇと他方側にレザーｒを保持するホルダー部ｂをグリップｇより前方に張出して設け、このホルダー部ｂの先端縁に、凹凸の波状をもって突出させた櫛目Ｃを形成し、レザーｒでカットするとき、毛髪は櫛目Ｃに導かれてカットされるようになっている。
前記レザーカットのホルダーでは、ホルダー部で保持したレザーがグリップより前方に張出しており、そのためレザーによってカット作業をするときグリップの体勢等が不安定となるだけでなく、力の加減やカットする幅、角度等ですく量を調節するには高度の技術を必要とした。
【発明が解決しようとする課題】
本発明の課題はカット作業する際従来のように高度の技術を必要としないで、レザーやグリップを安定した操作感で扱え、髪を綺麗にカットし、仕上げられるレザーホルダーを提供することにある。
【課題を解決するための手段】
本発明の手段は次のとおりである。
ホルダー部で保持されたレザーを、グリップの中心線上或は中心線の後部に位置させてグリップの操作感を安定させ、力を効率よく伝達させることを可能にすると共に、ホルダー部先端縁に設けた櫛目状の突出片の先端に溝を設けて、カットされる毛髪を分けて部分的なカットを可能にし、すき量の調節を容易にしたものである。
【発明の実施の形態】
図１乃至図４を参照して本発明に係る理美容用レザーホルダーの具体例を説明する。１は、グリップ２と、レザー３のホルダー部４からなる本体で、ホルダー部４で保持したレザー３の先端刃部をグリップ２の中心線ｍ上に位置させるようにして、カット時にグリップ２に係る無駄な力を省き、グリップ２を安定した状態で維持させ、力をレザー３の先端刃部へ効率よく伝えることができる。
また、図３に示すようにホルダー部４の先端縁側に凹凸によって櫛目状に成形した突出片５を、保持したレザー３の先端刃部より突出させ、更に突出片５の先端に夫々溝ａを形成し、溝ａによって毛髪ｈをたくわえることで図４に示すように部分的なカットを可能にし、カッテング後の毛髪ｈをまばらにして軽量感を出すことができるようにしてある。
またホルダー部４の前記突出片５の幅や間隔、溝ａの深さを変えることによって毛束の各々のすき量の調節をすることができる。
図５、図６は別の実施形態を示し、金属薄板を二つ折りしてグリップ２ａとレザー３ａを挾持するホルダー部４ａからなる本体１ａを形成すると共に、レザー３ａの先端刃部はグリップ２ａの中心線上に位置させる。更に、前記本体１ａのホルダー部４ａの外側に覆部材６ａを設ける。また、覆部材６ａの先端縁側に、凹凸によって櫛目状に成形させて突出する突出片５ａを設け、各突出片５ａの先端に夫々毛髪ｈをたくわえる溝ａを形成し、部分的なカットを可能にしてある。また、覆部材６ａはホルダー部４ａと着脱自在になっており、外したり位置を移動させることで、櫛目のない通常のレザーホルダーとして使用することも可能である。
【発明の効果】
従来のようにグリップの中心線より前方（グリップが移動する方向）にレザーの先端刃部が位置する場合は、グリップで先端刃部を押して移動させる状態となり、先端刃部を中心軸としてグリップが円周方向に振れないよう、グリップを安定させながらカットを行うため、移動方向の力と共にグリップの体勢を維持する力が必要であった。本発明は、前述のようにグリップの中心線上或は後部に、レザーホルダー本体のホルダー部で保持するレザーの先端刃部が位置するので、先端刃部を中心とする軸線とグリップの中心線が互いに中心となり、互いに円周方向に振れて生じる不安定な状態が抑えられ、グリップの体勢を維持するための余計な力が不要になり、グリップの操作感が向上する。更に、グリップと先端刃部が同一軸線上或は先端刃部の後方に配置させるので、先端刃部を直接把持した状態或は先端刃部がグリップの後を追うように移動する状態になり、先端刃部にはグリップを操作する力が直に伝わるので、力の加減や角度等が容易に調整でき、楽にカット作業が行える。また、ホルダー部の先端縁に設けた櫛目状の突出片の先端に形成した溝で、カットされる毛髪を分けて部分的なカットを可能にしてあるので、すき量の調節ができ、軽量感のある仕上りにカットできる。
【図面の簡単な説明】
【図１】本発明に係る理容用レザーホルダーの一実施態様を示した正面図。
【図２】図１の一部の拡大図。
【図３】カット時の毛髪すき量の状態図。
【図４】図３のカットされた毛髪の状態図。
【図５】レザーホルダーの別の実施態様を示す正面図。
【図６】図５のＸ−Ｘ線断面図。
【図７】従来のレザーホルダーの正面図。
【符号の説明】
１、１ａ  本体
２、２ａ  グリップ
３、３ａ  レザー
４、４ａ  ホルダー部
５、５ａ  突出片
６ａ      覆部材
ａ        溝
ｈ        毛髪
【手続補正書】
【提出日】平成16年1月23日(2004.1.23)
【手続補正１】
【補正対象書類名】明細書
【補正対象項目名】特許請求の範囲
【補正方法】変更
【補正の内容】
【特許請求の範囲】
【請求項１】
遊技球を貯留すると共に遊技球を球発射位置に導くパチンコ遊技機用上球受皿において、
前記上球受皿を形成する部材を振動させる振動付与装置を設けたことを特徴とするパチンコ遊技機用上球受皿。
【請求項２】
前記振動付与装置は、前記上球受皿を形成する部材をたたく作動部材と、作動部材を駆動する駆動装置とにより構成されていることを特徴とする請求項１記載のパチンコ遊技機用上球受皿。
【手続補正２】
【補正対象書類名】明細書
【補正対象項目名】０００４
【補正方法】変更
【補正の内容】
【０００４】
【課題を解決するための手段】
上記目的を達成するために上記請求項１に係る発明の構成上の特徴は、遊技球を貯留すると共に遊技球を球発射位置に導くパチンコ遊技機用上球受皿において、前記上球受皿を形成する部材を振動させる振動付与装置を設けたことにある。


【手続補正３】
【補正対象書類名】明細書
【補正対象項目名】０００５
【補正方法】変更
【補正の内容】
【０００５】
上記のように構成した請求項１に係る発明においては、振動付与装置により上球受皿に振動を与えることができる。これにより、パチンコ遊技機の長期の使用により、上球受皿の表面が汚れたり、また貯留された遊技球の重みにより上球受皿の表面が部分的にへこんだりして、貯留された遊技球の円滑な流れが阻害される状態になったときでも、強制的に遊技球の流れを促進させることができ、上球受皿上での球詰まりを防止し、球発射位置に遊技球を円滑に供給し続けることができる。


【手続補正４】
【補正対象書類名】明細書
【補正対象項目名】０００６
【補正方法】変更
【補正の内容】
【０００６】
また、上記請求項２に係る発明の構成上の特徴は、前記請求項１に記載のパチンコ遊技機用上球受皿において、前記振動付与装置を前記上球受皿を形成する部材をたたく作動部材と、作動部材を駆動する駆動装置とにより構成したことにある。上記のように構成した請求項２に係る発明においては、作動部材を駆動装置により駆動することにより、上球受皿を形成する部材を周期的にたたいて周期的な振動を付与することができる。


【手続補正５】
【補正対象書類名】明細書
【補正対象項目名】００２５
【補正方法】変更
【補正の内容】
【００２５】
【発明の効果】
上記請求項１に記載の発明によれば、上球受皿に遊技球がある状態で、球発射供給装置によるいわゆる空打ち状態をなくすることができ、遊技者が上球受皿の状態に注意を払う必要がなく遊技に集中することができる。特に、いわゆる大当り発生状態において、アタッカの開放から所定時間内に規定の球数をアタッカに入賞させなければ期待通りの賞球が得られなかったり、またその時間内にアタッカ内のＶゾーンに遊技球を入賞させないと大当り状態が終了してしまうというような場合においても、上球受皿の球詰まりが防止されて球発射位置への連続的な遊技球の供給が確保されるので、遊技者に不当な不利益を与えることがなく公平な遊技が提供される。
【手続補正書】
【提出日】平成15年8月28日(2003.8.28)
【手続補正１】
【補正対象書類名】明細書
【補正対象項目名】特許請求の範囲
【補正方法】変更
【補正の内容】
【特許請求の範囲】
【請求項１】
酵素反応を用いて被検液中のＡＤＰを生成する酵素またはその基質の一方を測定する方法において、ＡＤＰを生成する酵素またはその基質の一方を含有する被検液を少くともＡＤＰを生成する酵素とその基質に基づく反応に関与する成分の反応試薬、ＡＴＰ、グルコース、ＡＤＰ依存性ヘキソキナーゼ、酸化型ＮＡＤ（Ｐ）類、グルコース−６−リン酸脱水素酵素およびマグネシウムイオン、コバルトイオンまたはマンガンイオンのいずれか１種または２種以上のイオン放出性塩類の存在下、１５〜４５℃の温度条件にて反応させ、被検液中のＡＤＰを生成する酵素またはその基質を反応によって生成されるＡＭＰとともに、還元型ＮＡＤ（Ｐ）類の生成量に基づいて測定する方法。
【請求項２】
ＡＤＰを生成する酵素がウレアアミドヒドロラーゼであり、その基質がウレアである請求項１記載の測定する方法。
【請求項３】
ＡＤＰを生成する酵素がクレアチンキナーゼであり、その基質がクレアチンである請求項１記載の測定する方法。
【請求項４】
クレアチンが、クレアチニンにクレアチニナーゼを作用させて遊離されたクレアチンである請求項３記載の測定する方法。
【請求項５】
ＡＤＰを生成する酵素がＮ−メチルヒダントイナーゼであり、その基質がＮ−メチルヒダントインである請求項１記載の測定する方法。
【請求項６】
Ｎ−メチルヒダントインが、クレアチニンにクレアチニンデイミナーゼを作用させて遊離されたＮ−メチルヒダントインである請求項５記載の測定する方法。
【請求項７】
ＡＤＰを生成する酵素がグリセロールキナーゼであり、その基質がグリセロールである請求項１記載の測定する方法。
【請求項８】
グリセロールが、リパーゼの作用によってトリグリセリド、ジグリセリドまたはモノグリセリドから遊離されたグリセロールまたはホスホリパーゼＤの作用によるホスファチジルグリセロールから遊離されたグリセロール請求項７記載の測定する方法。
【請求項９】
ＡＤＰを生成する酵素がコリンキナーゼであり、その基質がコリンである請求項１記載の測定する方法。
【請求項１０】
コリンが、ホスホリパーゼＤの作用によるホスファチジルコリンまたはコリンエステラーゼの作用によるコリンエステルから遊離されるコリンである請求項９記載の測定する方法。
【請求項１１】
ＡＤＰを生成する酵素がグルタミンシンセターゼまたはグルタミン酸キナーゼであり、その基質がＬ−グルタミン酸である請求項１記載の測定する方法。
【請求項１２】
Ｌ−グルタミン酸が、Ｌ−アスパラギン酸及びα−ケトグルタル酸からアスパラギン酸アミノトランスフェラーゼの作用により形成されるＬ−グルタミン酸である請求項１１記載の測定する方法。
【請求項１３】
Ｌ−グルタミン酸が、Ｌ−アラニン及びα−ケトグルタル酸からアラニンアミノトランスフェラーゼの作用により形成されるＬ−グルタミン酸である請求項１１記載の測定する方法。
【請求項１４】
ＡＤＰ依存性ヘキソキナーゼが、高度好熱性ＡＤＰ依存性ヘキソキナーゼである請求項１記載の測定する方法。
【請求項１５】
温度条件が２０〜４０℃である請求項１記載の測定する方法。
【請求項１６】
少なくともＡＤＰを生成する酵素とその基質に基づく反応に関与する成分の反応試薬、ＡＴＰ、グルコース、ＡＤＰ依存性ヘキソキナーゼ、酸化型ＮＡＤ（Ｐ）、グルコース６リン酸脱水素酵素およびマグネシウムイオン、コバルトイオンまたはマンガンイオンのいずれか１種または２種以上のイオン放出性塩類を含有することを特徴とするＡＤＰを生成する酵素またはその基質の一方の測定用組成物。
【請求項１７】
ＡＤＰを生成する酵素がウレアアミドヒドロラーゼであり、その基質がウレアである請求項１６記載の組成物。
【請求項１８】
ＡＤＰを生成する酵素がクレアチンキナーゼであり、その基質がクレアチンである請求項１６記載の組成物。
【手続補正書】
【提出日】平成15年9月12日(2003.9.12)
【手続補正１】
【補正対象書類名】明細書
【補正対象項目名】特許請求の範囲
【補正方法】変更
【補正の内容】
【特許請求の範囲】
【請求項１】
複数の遊技機を設置した遊技機設置島の前記遊技機の近傍位置に設置され、前記遊技機と遊技機用管理装置とを互いに接続するための遊技機用接続中継器であって、
前記遊技機からの信号線を接続する複数の端子と、
前記遊技機用管理装置に接続するための集合信号線コネクタと、
前記複数の端子のそれぞれに対して電圧信号と接点信号のいずれを入力可能とするかを選択的に切り換える入力切換手段とを有する遊技機用接続中継器。
【請求項２】
請求項１に記載した遊技機用接続中継器であって、
前記入力切換手段が接点信号を入力可能とするように切り換えられているときに前記端子に入力された接点信号を電圧信号に変換する変換手段と、
前記入力切換手段が電圧信号を入力可能とするように切り換えられているときには、前記端子に入力された電圧信号を前記遊技機用管理装置に出力し、前記入力切換手段が接点信号を入力可能とするように切り換えられているときには、前記変換手段により変換された電圧信号を前記遊技機用管理装置に出力する出力手段とを有する遊技機用接続中継器。
【手続補正２】
【補正対象書類名】明細書
【補正対象項目名】０００５
【補正方法】変更
【補正の内容】
【０００５】
【課題を解決するための手段】
上記目的を達成するために、本発明の遊技機用接続中継器は、複数の遊技機を設置した遊技機設置島の前記遊技機の近傍位置に設置され、前記遊技機と遊技機用管理装置とを互いに接続するための遊技機用接続中継器であって、前記遊技機からの信号線を接続する複数の端子と、前記遊技機用管理装置に接続するための集合信号線コネクタと、前記複数の端子のそれぞれに対して電圧信号と接点信号のいずれを入力可能とするかを選択的に切り換える入力切換手段とを有するものである。
【手続補正書】
【提出日】平成15年12月17日(2003.12.17)
【手続補正１】
【補正対象書類名】明細書
【補正対象項目名】特許請求の範囲
【補正方法】変更
【補正の内容】
【特許請求の範囲】
【請求項１】
機器本体を有する電子機器であって、
上記機器本体は、その幅方向に延びる前面を有し、この機器本体の前面の少なくとも幅方向に沿う中央部分に、下方に進むに従い上記機器本体の前方に傾斜して延出された傾斜面を有する延出部を形成し、この延出部の傾斜面の下縁は、上記機器本体の下方に向けて円弧状に湾曲されているとともに、この傾斜面に機器の状態を表示する表示パネルを配置したことを特徴とする電子機器。
【請求項２】
請求項１の記載において、上記延出部の傾斜面に少なくとも一つのマニュアル操作子を配置したことを特徴とする電子機器。
【請求項３】
請求項２の記載において、上記表示パネルは、上記機器本体の幅方向に沿う中央部に位置されているとともに、上記マニュアル操作子は、上記表示パネルを間に挟んだ左右両側に振り分けて配置されていることを特徴とする電子機器。
【請求項４】
請求項３の記載において、上記マニュアル操作子は、上記表示パネルから上記機器本体の幅方向に遠ざかるに従い上記傾斜面の下縁に沿うように先細り状に形成されていることを特徴とする電子機器。
【請求項５】
請求項１ないし請求項４のいずれかの記載において、上記機器本体は底面を有し、上記延出部の傾斜面の下縁は、下方に進むに従い上記機器本体の後方に向けて円弧状に湾曲された湾曲部を介して上記底面に連なっていることを特徴とする電子機器。
【請求項６】
上面およびこの上面の前端に連なる前面を有する機器本体と、
この機器本体の後端部に支持され、上記上面を覆うように上記機器本体に重なり合う閉じ位置と、上記上面を露出させるように起立する開き位置とに亘って回動可能なディスプレイユニットと、を具備し、
上記機器本体の前面の少なくとも幅方向に沿う中央部分に、下方に進むに従い上記機器本体の前方に傾斜して延出された傾斜面を有する延出部を形成し、この延出部の傾斜面は、上記閉じ位置に回動されたディスプレイユニットよりも機器本体の前方に張り出しているとともに、この傾斜面の下縁は、上記機器本体の下方に向けて円弧状に湾曲され、この傾斜面に機器の状態を表示する表示パネルを配置したことを特徴とする電子機器。
【請求項７】
請求項６の記載において、上記機器本体は底面を有し、上記延出部の傾斜面の下縁は、下方に進むに従い上記機器本体の後方に向けて円弧状に湾曲された湾曲部を介して上記底面に連なっていることを特徴とする電子機器。
【請求項８】
請求項６又は請求項７の記載において、上記機器本体の上面は、キーボードを操作する際に手を乗せるパームレストを有し、上記延出部の傾斜面は、上記パームレストの前端縁から前方斜め下向きに延びていることを特徴とする電子機器。
【請求項９】
請求項８の記載において、上記傾斜面の下縁の左端部および右端部は、夫々上記パームレストの前端に連なるとともに、上記ディスプレイユニットを閉じ位置に回動させた時に、このディスプレイユニットの前端と一致することを特徴とする電子機器。
【請求項１０】
上面、この上面の前端に連なる前面および上面と向かい合う底面を有する機器本体と、
この機器本体の後端部に支持され、上記上面を覆うように上記機器本体に重なり合う閉じ位置と、上記上面を露出させるように起立する開き位置とに亘って回動可能なディスプレイユニットと、を具備し、
上記機器本体の前面の少なくとも幅方向に沿う中央部分に、下方に進むに従い上記機器本体の前方に傾斜して延出された傾斜面を有する延出部を形成し、この延出部の傾斜面は、上記閉じ位置に回動されたディスプレイユニットよりも機器本体の前方に張り出しているとともに、この傾斜面の下縁は、上記機器本体の下方に向けて円弧状に湾曲された湾曲部を介して上記底面の前端に連続し、この傾斜面に機器の状態を表示する表示パネルを配置したことを特徴とする電子機器。
【手続補正２】
【補正対象書類名】明細書
【補正対象項目名】００１１
【補正方法】変更
【補正の内容】
【００１１】
【課題を解決するための手段】
上記目的を達成するため、本発明の一つの形態に係る電子機器は、機器本体を備えている。機器本体は、その幅方向に延びる前面を有し、この機器本体の前面の少なくとも幅方向に沿う中央部分に、下方に進むに従い上記機器本体の前方に傾斜して延出された傾斜面を有する延出部が形成されている。延出部の傾斜面の下縁は、上記機器本体の下方に向けて円弧状に湾曲されており、この傾斜面に機器の状態を表示する表示パネルを配置したことを特徴としている。


【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２９
【補正方法】変更
【補正の内容】
【００２９】
ディスプレイハウジング１１は、前端面１１ｂを有している。この前端面１１ｂは、図２や図５に示すように、ディスプレイユニット３を閉じ位置に回動させた時に、ポータブルコンピュータ１の前方を指向するとともに、コンピュータ本体２の前面４ｃに連続するようになっている。


【手続補正１２】
【補正対象書類名】明細書
【補正対象項目名】００４７
【補正方法】変更
【補正の内容】
【００４７】
【発明の効果】
以上詳述した本発明によれば、表示パネルの視認性が向上し、電子機器の使い勝手が良好となる。しかも、機器本体の薄形化を強調するような外観が得られ、この機器本体をコンパクトに見せることができる。
【手続補正書】
【提出日】平成16年1月14日(2004.1.14)
【手続補正１】
【補正対象書類名】明細書
【補正対象項目名】０００８
【補正方法】変更
【補正の内容】
【０００８】
フルカラートナーには銀塩写真と同等な高級な画像が要求される側面もあり、画像の光沢性および混色性・透明性が必要なことから、シャープな溶融特性のポリエステル樹脂が使われ、定着オフセットが発生せず、かつ感光体へのＢＳの発生や現像部材等への融着が発生しない範囲でワックス類を微分散させてきた。しかし、両問題点を解決する添加量の範囲は狭くその選択は容易ではなかった。そのため、ワックス類をより多く添加しても微分散を達成させるために天然ワックスや極性ワックスを使用することが一般的に行われてきた。しかし、ポリエステル樹脂は元来、耐環境特性に劣り、温度や湿度等の環境変化に対して安定な帯電量を得ることが困難となって高温／高湿時に地カブリが悪化したり、低温／低湿時に画像濃度の低下を起しやすかったが、天然ワックスや極性ワックスを使用することで耐環境特性はより低下する傾向となった。


【手続補正２】
【補正対象書類名】明細書
【補正対象項目名】００３１
【補正方法】変更
【補正の内容】
【００３１】
本発明のトナーは、トナー粒子に対して疎水性シリカ微粒子が１．０〜４．０重量％付着していることが好ましい。疎水性シリカ微粒子の付着量が１．０重量％未満の場合ではトナー粒子中に含有される離型剤が感光体や帯電部材に融着し画像欠陥が発生しやすくなったり、流動性が低下しトナーの供給不良や長時間保存性が悪化する。４．０重量％を超えると疎水性シリカの脱離が発生しやすく、ＢＳなどの問題や地カブリの問題を起こすようになる。疎水性シリカのさらに好ましい添加量は１．５〜３．５重量％である。
【手続補正書】
【提出日】平成15年8月13日(2003.8.13)
【手続補正１】
【補正対象書類名】明細書
【補正対象項目名】特許請求の範囲
【補正方法】変更
【補正の内容】
【特許請求の範囲】
【請求項１】
絶縁表面上に設けられた薄膜トランジスタと、
前記薄膜トランジスタ上に設けられた層間絶縁膜と、
前記層間絶縁膜上に設けられた一対の電極間に発光層を有する発光素子と、
前記層間絶縁膜と前記発光素子との間に珪素及び窒素を主成分とする無機絶縁膜とを有することを特徴とする発光装置。
【請求項２】
絶縁表面上に設けられた薄膜トランジスタと、
前記薄膜トランジスタ上に設けられた層間絶縁膜と、
前記層間絶縁膜上に設けられた一対の電極間に発光層を有する発光素子と、
前記層間絶縁膜と前記発光素子との間に珪素及び窒素を主成分とする無機絶縁膜とを有し、
前記無機絶縁膜は、珪素の含有比率が２５．０ａｔｏｍｉｃ％以上３５．０ａｔｏｍｉｃ％以下であり、窒素の含有比率が３５．０ａｔｏｍｉｃ％以上６５．０ａｔｏｍｉｃ％以下であることを特徴とする発光装置。
【請求項３】
絶縁表面上に設けられた薄膜トランジスタと、
前記薄膜トランジスタ上に設けられた層間絶縁膜と、
前記層間絶縁膜上に設けられた一対の電極間に発光層を有する発光素子と、
前記層間絶縁膜と前記発光素子との間にＳＰ3結合を有し水素を含有する炭素膜が形成されていることを特徴とする発光装置。
【請求項４】
絶縁表面上に設けられた薄膜トランジスタと、
前記薄膜トランジスタ上に設けられたシロキサンを有する層間絶縁膜と、
前記層間絶縁膜上に設けられた一対の電極間に発光層を有する発光素子と、
前記層間絶縁膜と前記発光素子との間に珪素及び窒素を主成分とする無機絶縁膜とを有することを特徴とする発光装置。
【請求項５】
絶縁表面上に設けられた薄膜トランジスタと、
前記薄膜トランジスタ上に設けられたシロキサンを有する層間絶縁膜と、
前記層間絶縁膜上に設けられた一対の電極間に発光層を有する発光素子と、
前記層間絶縁膜と前記発光素子との間に珪素及び窒素を主成分とする無機絶縁膜とを有し、
前記無機絶縁膜は、珪素の含有比率が２５．０ａｔｏｍｉｃ％以上３５．０ａｔｏｍｉｃ％以下であり、窒素の含有比率が３５．０ａｔｏｍｉｃ％以上６５．０ａｔｏｍｉｃ％以下であることを特徴とする発光装置。
【請求項６】
絶縁表面上に設けられた薄膜トランジスタと、
前記薄膜トランジスタ上に設けられたシロキサンを有する層間絶縁膜と、
前記層間絶縁膜上に設けられた一対の電極間に発光層を有する発光素子と、
前記層間絶縁膜と前記発光素子との間にＳＰ3結合を有し水素を含有する炭素膜が形成されていることを特徴とする発光装置。
【請求項７】
請求項４から６のいずれか一項において、
前記シロキサンは、無機水素化シロキサン又は有機シロキサン系ポリマーであることを特徴とする発光装置。
【請求項８】
請求項１から３のいずれか一項において、
前記層間絶縁膜は、フッ素添加の酸化珪素膜であることを特徴とする発光装置。
【請求項９】
請求項１から３のいずれか一項において、
前記層間絶縁膜は、多孔質ＳＯＧ膜であることを特徴とする発光装置。
【請求項１０】
薄膜トランジスタ上に層間絶縁膜を形成し、
前記層間絶縁膜上にスパッタリング法により珪素及び窒素を主成分とする無機絶縁膜を形成し、
前記無機絶縁膜上に一対の電極間に発光層を有する発光素子を形成することを特徴とする発光装置の作製方法。
【請求項１１】
薄膜トランジスタ上に層間絶縁膜を形成し、
前記層間絶縁膜上にスパッタリング法により珪素の含有比率が２５．０ａｔｏｍｉｃ％以上３５．０ａｔｏｍｉｃ％以下であり、窒素の含有比率が３５．０ａｔｏｍｉｃ％以上６５．０ａｔｏｍｉｃ％以下である無機絶縁膜を形成し、
前記無機絶縁膜上に、一対の電極間に発光層を有する発光素子を形成することを特徴とする発光装置の作製方法。
【請求項１２】
薄膜トランジスタ上に層間絶縁膜を形成し、
前記層間絶縁膜上にスパッタリング法によりＳＰ3結合を有し水素を含有する炭素膜を形成し、
前記炭素膜上に、一対の電極間に発光層が形成された発光素子を形成することを特徴とする発光装置の作製方法。
【請求項１３】
薄膜トランジスタ上にシロキサンを有する層間絶縁膜を形成し、
前記層間絶縁膜上にスパッタリング法により珪素及び窒素を主成分とする無機絶縁膜を形成し、
前記無機絶縁膜上に一対の電極間に発光層を有する発光素子を形成することを特徴とする発光装置の作製方法。
【請求項１４】
薄膜トランジスタ上にシロキサンを有する層間絶縁膜を形成し、
前記層間絶縁膜上にスパッタリング法により珪素の含有比率が２５．０ａｔｏｍｉｃ％以上３５．０ａｔｏｍｉｃ％以下であり、窒素の含有比率が３５．０ａｔｏｍｉｃ％以上６５．０ａｔｏｍｉｃ％以下である無機絶縁膜を形成し、
前記無機絶縁膜上に、一対の電極間に発光層を有する発光素子を形成することを特徴とする発光装置の作製方法。
【請求項１５】
薄膜トランジスタ上にシロキサンを有する層間絶縁膜を形成し、
前記層間絶縁膜上にスパッタリング法によりＳＰ3結合を有し水素を含有する炭素膜を形成し、
前記炭素膜上に、一対の電極間に発光層が形成された発光素子を形成することを特徴とする発光装置の作製方法。
【請求項１６】
請求項１３から１５のいずれか一項において、
前記シロキサンは、無機水素化シロキサン又は有機シロキサン系ポリマーであることを特徴とする発光装置の作製方法。
【請求項１７】
請求項１０から１２のいずれか一項において、
前記層間絶縁膜は、フッ素添加の酸化珪素膜であることを特徴とする発光装置の作製方法。
【請求項１８】
請求項１０から１２のいずれか一項において、
前記層間絶縁膜は、多孔質ＳＯＧ膜であることを特徴とする発光装置の作製方法。
【請求項１９】
請求項１０から１８のいずれか一項において、
前記層間絶縁膜は、塗布法によって形成することを特徴とする発光装置の作製方法。
【手続補正書】
【提出日】平成15年12月17日(2003.12.17)
【手続補正１】
【補正対象書類名】明細書
【補正対象項目名】特許請求の範囲
【補正方法】変更
【補正の内容】
【特許請求の範囲】
【請求項１】
一方基板と他方基板の間に液晶層が挟持され、前記他方基板の前記液晶層とは反対の面に設けられた第１の偏光手段と、前記一方基板の前記液晶層とは反対の面に設けられた第２の偏光手段とを有する液晶表示装置において、
前記一方基板は反射機能を有する領域と透過機能を有する領域とを備え、１つの絵素の中に反射表示領域と透過表示領域とが形成されており、
前記第１の偏光手段と前記液晶層との間に設けられた第１の位相差板と、前記第２の偏光手段と前記液晶層との間に設けられた第２の位相差板とを有し、
前記液晶層の液晶分子が概ね基板面の垂直方向に向いているときに前記反射表示領域の液晶層のリターデーションがαの場合、前記第１の位相差板のリターデーションが（λ／４−α）条件に設定されていることを特徴とする液晶表示装置。
【請求項２】
一方基板と他方基板の間に液晶層が挟持され、前記他方基板の前記液晶層とは反対の面に設けられた第１の偏光手段と、前記一方基板の前記液晶層とは反対の面に設けられた第２の偏光手段とを有する液晶表示装置において、
前記一方基板は反射機能を有する領域と透過機能を有する領域とを備え、１つの絵素の中に反射表示領域と透過表示領域とが形成されており、
前記第１の偏光手段と前記液晶層との間に設けられた第１の位相差板と、前記第２の偏光手段と前記液晶層との間に設けられた第２の位相差板とを有し、
前記液晶層の液晶分子が概ね基板面の垂直方向に向いているときに前記反射表示領域の液晶層のリターデーションがα、前記透過表示領域の液晶層のリターデーションがβの場合、前記第１の位相差板のリターデーションが（λ／４−α）条件に、前記第２の位相差板のリターデーションが（λ／４−（β−α））条件に設定されていることを特徴とする液晶表示装置。
【請求項３】
一方基板と他方基板の間に液晶層が挟持され、前記他方基板の前記液晶層とは反対の面に設けられた偏光手段を有する液晶表示装置において、
前記一方基板は反射機能を有する領域を備え、
前記偏光手段と前記液晶層との間に設けられた位相差板を有し、
前記液晶層の液晶分子が概ね基板面の垂直方向に向いているときに前記液晶層のリターデーションがαの場合、前記位相差板のリターデーションが（λ／４−α）条件に設定されていることを特徴とする液晶表示装置。
【手続補正２】
【補正対象書類名】明細書
【補正対象項目名】０００９
【補正方法】変更
【補正の内容】
【０００９】
【課題を解決するための手段】
本発明は、一方基板と他方基板の間に液晶層が挟持され、前記他方基板の前記液晶層とは反対の面に設けられた第１の偏光手段と、前記一方基板の前記液晶層とは反対の面に設けられた第２の偏光手段とを有する液晶表示装置において、前記一方基板は反射機能を有する領域と透過機能を有する領域とを備え、１つの絵素の中に反射表示領域と透過表示領域とが形成されており、前記第１の偏光手段と前記液晶層との間に設けられた第１の位相差板と、前記第２の偏光手段と前記液晶層との間に設けられた第２の位相差板とを有し、前記液晶層の液晶分子が概ね基板面の垂直方向に向いているときに前記反射表示領域の液晶層のリターデーションがαの場合、前記第１の位相差板のリターデーションが（λ／４−α）条件に設定されていることを特徴とする液晶表示装置である。


【手続補正３】
【補正対象書類名】明細書
【補正対象項目名】００１０
【補正方法】変更
【補正の内容】
【００１０】
また、一方基板と他方基板の間に液晶層が挟持され、前記他方基板の前記液晶層とは反対の面に設けられた第１の偏光手段と、前記一方基板の前記液晶層とは反対の面に設けられた第２の偏光手段とを有する液晶表示装置において、前記一方基板は反射機能を有する領域と透過機能を有する領域とを備え、１つの絵素の中に反射表示領域と透過表示領域とが形成されており、前記第１の偏光手段と前記液晶層との間に設けられた第１の位相差板と、前記第２の偏光手段と前記液晶層との間に設けられた第２の位相差板とを有し、前記液晶層の液晶分子が概ね基板面の垂直方向に向いているときに前記反射表示領域の液晶層のリターデーションがα、前記透過表示領域の液晶層のリターデーションがβの場合、前記第１の位相差板のリターデーションが（λ／４−α）条件に、前記第２の位相差板のリターデーションが（λ／４−（β−α））条件に設定されていることを特徴とする液晶表示装置である。


【手続補正４】
【補正対象書類名】明細書
【補正対象項目名】００１１
【補正方法】変更
【補正の内容】
【００１１】
また、一方基板と他方基板の間に液晶層が挟持され、前記他方基板の前記液晶層とは反対の面に設けられた偏光手段を有する液晶表示装置において、前記一方基板は反射機能を有する領域を備え、前記偏光手段と前記液晶層との間に設けられた位相差板を有し、前記液晶層の液晶分子が概ね基板面の垂直方向に向いているときに前記液晶層のリターデーションがαの場合、前記位相差板のリターデーションが（λ／４−α）条件に設定されていることを特徴とする液晶表示装置である。
【手続補正書】
【提出日】平成15年12月22日(2003.12.22)
【手続補正１】
【補正対象書類名】明細書
【補正対象項目名】特許請求の範囲
【補正方法】変更
【補正の内容】
【特許請求の範囲】
【請求項１】
一方基板と他方基板の間に負の誘電率異方性を示す液晶層が挟持され、前記他方基板の前記液晶層とは反対の面に設けられた第１の偏光手段と、前記一方基板の前記液晶層とは反対の面に設けられた第２の偏光手段とを有する液晶表示装置において、
前記一方基板は反射機能を有する領域と透過機能を有する領域とを備え、１つの絵素の中に反射表示領域と透過表示領域とが分割して形成され、
前記第１の偏光手段の透過軸と前記第２の偏光手段の透過軸とが同一方向に設定されており、
前記一方基板側から前記液晶層に円偏光が入射し、前記他方基板側から前記液晶層に円偏光が入射することを特徴とする液晶表示装置。
【請求項２】
表示モードがノーマリーブラックであることを特徴とする請求項１記載の液晶表示装置。
【手続補正２】
【補正対象書類名】明細書
【補正対象項目名】０００９
【補正方法】変更
【補正の内容】
【０００９】
【課題を解決するための手段】
本発明は、一方基板と他方基板の間に負の誘電率異方性を示す液晶層が挟持され、前記他方基板の前記液晶層とは反対の面に設けられた第１の偏光手段と、前記一方基板の前記液晶層とは反対の面に設けられた第２の偏光手段とを有する液晶表示装置において、前記一方基板は反射機能を有する領域と透過機能を有する領域とを備え、１つの絵素の中に反射表示領域と透過表示領域とが分割して形成され、前記第１の偏光手段の透過軸と前記第２の偏光手段の透過軸とが同一方向に設定されており、前記一方基板側から前記液晶層に円偏光が入射し、前記他方基板側から前記液晶層に円偏光が入射することを特徴とする液晶表示装置である。
【手続補正書】
【提出日】平成15年11月28日(2003.11.28)
【手続補正１】
【補正対象書類名】明細書
【補正対象項目名】請求項８
【補正方法】変更
【補正の内容】
【請求項８】
前記回転軸部材には、記録媒体ディスクを搭載するハブが取り付けられていることを特徴とする請求項１記載の動圧軸受モータ。
【手続補正書】
【提出日】平成15年10月8日(2003.10.8)
【手続補正１】
【補正対象書類名】明細書
【補正対象項目名】発明の名称
【補正方法】変更
【補正の内容】
【発明の名称】チップ、ゲノム薬剤処方支援システム、チップ情報提供システム及びチップ供給システム


【手続補正２】
【補正対象書類名】明細書
【補正対象項目名】特許請求の範囲
【補正方法】変更
【補正の内容】
【特許請求の範囲】
【請求項１】
個人の遺伝子情報に基づき処方されるゲノム薬剤に対して、そのゲノム薬剤を処方するのに必要な遺伝子情報を得るためのプローブが選択的に配されていることを特徴とするチップ。
【請求項２】
前記遺伝子情報は、前記ゲノム薬剤と同時に服用することを禁止すべき薬剤の存在又は不存在に関連する遺伝子情報を含むことを特徴とする請求項１記載のチップ。
【請求項３】
前記遺伝子情報は、前記ゲノム薬剤による副作用の可能性に関連する遺伝子情報を含むことを特徴とする請求項１記載のチップ。
【請求項４】
前記遺伝子情報は、前記ゲノム薬剤による薬効の有無及び／又は程度に関連する遺伝子情報を含むことを特徴とする請求項１記載のチップ。
【請求項５】
塩基配列のハイブリダイゼーションパターン情報を入力するパターン入力手段と、前記パターン入力手段によって入力されたパターン情報から個人の遺伝子情報に基づき処方されるゲノム薬剤を処方するのに必要な遺伝子情報を得るパターン判別手段と、前記パターン判別手段によって得られた遺伝子情報に基づき前記ゲノム薬剤の処方支援情報を出力する出力手段と、を備えることを特徴とするゲノム薬剤処方支援システム。
【請求項６】
個人の遺伝子情報を入力する情報入力手段と、前記情報入力手段によって入力された遺伝子情報に基づき所定のゲノム薬剤の処方支援情報を出力する出力手段と、を備えることを特徴とするゲノム薬剤処方支援システム。
【請求項７】
個人の遺伝子情報に基づき処方されるゲノム薬剤に対して、そのゲノム薬剤を処方するのに必要な遺伝子情報を得るためのプローブが選択的に配されているチップが販売された販売情報を入力する販売情報入力手段と、前記チップによるハイブリダイゼーションパターンから対応するゲノム薬剤の処方支援情報を導出するための情報を前記販売情報に基づいて前記チップを購入した者に提供する情報提供手段と、を備えることを特徴とするチップ情報提供システム。
【請求項８】
個人の遺伝子情報に基づき処方されるゲノム薬剤に対して、そのゲノム薬剤を処方するのに必要な遺伝子情報を得るためのプローブが選択的に配されているチップの在庫量をモニターする在庫監視手段と、前記在庫監視手段によって監視される在庫量が所定値を下回ったことを検出して前記チップ供給のオーダーを出すチップオーダー手段と、を備えることを特徴とするチップ供給システム。
【手続補正書】
【提出日】平成15年11月6日(2003.11.6)
【手続補正１】
【補正対象書類名】明細書
【補正対象項目名】特許請求の範囲
【補正方法】変更
【補正の内容】
【特許請求の範囲】
【請求項１】
遊技に必要な複数の図柄を変動表示する変動表示手段と、
特定役の入賞成立を示す特定の図柄組合せが、前記変動表示手段の変動表示の停止時に所定のラインに沿って並ぶこととなるために必要な情報を報知する報知手段と、
前記変動表示手段及び前記報知手段を制御する制御手段と
を具備し、
前記制御手段は、一のゲーム毎に、前記特定の図柄組合せを含む、遊技者にとって有利な図柄組合せが、前記変動表示の停止時に前記所定のラインに沿って並ぶことを許可するか否かの第一の決定と、該第一の決定の結果及び遊技者の停止操作のタイミングに基づいて、前記変動表示の停止時に表示すべき態様を決定する第二の決定と、前記報知手段による報知が行われる状況であるとき、乱数抽選の結果に基づいて当該状況を終了させるか否かについて決定する第四の決定とを行うことを特徴とする遊技機。
【請求項２】
請求項１記載の遊技機において、前記有利な図柄組合せは、特別遊技状態を発生させる特別増加役の入賞成立を示す特別の図柄組合せを含み、前記制御手段は、前記特別遊技状態であるとき、前記第四の決定を行わないことを特徴とする遊技機。
【請求項３】
請求項２記載の遊技機において、前記第一の決定の結果が、前記特別の図柄組合せが前記所定のラインに沿って並ぶことを許可するものとなった後、前記特別増加役の入賞が成立するまでの間、前記制御手段は、前記第四の決定を行わないことを特徴とする遊技機。
【請求項４】
請求項１乃至３のいずれか記載の遊技機において、前記制御手段は、前記特別遊技状態が終了したとき、前記第四の決定の結果に拘らず前記状況を終了させることを特徴とする遊技機。
【請求項５】
請求項１乃至４のいずれか記載の遊技機において、前記制御手段は、前記変動表示手段の制御と前記第一及び第二の決定とを行う主制御手段と、前記報知手段の制御及び前記第四の決定を行う副制御手段とにより構成されることを特徴とする遊技機。
【請求項６】
請求項１乃至５のいずれか記載の遊技機において、前記制御手段は、前記第一の決定の結果と前記タイミングのほか遊技者の停止操作の順番に基づいて前記第二の決定を行い、前記第一の決定結果が、前記特定の図柄組合せが前記所定のラインに沿って並ぶことを許可するものであるとき、前記情報として停止操作の順番が報知されることを特徴とする遊技機。
【請求項７】
請求項１乃至６のいずれか記載の遊技機において、前記第一の決定の結果が、前記特定の図柄組合せが前記所定のラインに沿って並ぶことを許可するものであるとき、前記情報として前記特定の図柄組合せを構成する図柄が報知されることを特徴とする遊技機。
【手続補正書】
【提出日】平成15年10月30日(2003.10.30)
【手続補正１】
【補正対象書類名】明細書
【補正対象項目名】特許請求の範囲
【補正方法】変更
【補正の内容】
【特許請求の範囲】
【請求項１】
コークス炭化炉（Ｃ）の出入口を開閉する炉蓋（２）の上方部に設けた枠体フレーム（３）の石炭層表面レベラー装入口（４）を開閉する片開き押蓋（５）の開閉側押圧方向に掛留アーム部材（１）を設けると共に、該掛留アーム部材（１）の押圧方向軸腺上に配置した回転支持軸（１１）を介して該掛合アーム部材（１）に回転掛合する引掛アーム部材（８）と枠体フレーム（３）の炉蓋（２）側に固定した引掛アーム部材回動駆動機（１３）とを連接して構成した事を特徴とするコークス炭化炉蓋の石炭層表面レベラー装入口開閉蓋。
【手続補正書】
【提出日】平成15年11月25日(2003.11.25)
【手続補正１】
【補正対象書類名】明細書
【補正対象項目名】請求項３
【補正方法】変更
【補正の内容】
【請求項３】
二塩基酸のジエステルがリンゴ酸ジイソステアリルであることを特徴とする、請求項１又は２に記載の化粧料。
【手続補正２】
【補正対象書類名】明細書
【補正対象項目名】０００５
【補正方法】変更
【補正の内容】
【０００５】
【課題の解決手段】
この様な状況に鑑みて、本発明者らは、積層樹脂小片を含有する化粧料に於いて、該積層樹脂小片に起因する一過性の刺激発現を抑制する手段を求め鋭意研究努力を重ねた結果、これらの積層樹脂小片と二塩基酸のジエステルとを組み合わせて含有させることにより、かかる一過性の刺激発現を抑制しうることを見いだし、発明を完成させるに至った。即ち、本発明は以下に示す技術に関するものである。
（１）二塩基酸のジエステルと、積層樹脂小片とを含有することを特徴とする、化粧料。（２）二塩基酸のジエステルがリンゴ酸の分岐アルコールエステルであることを特徴とする、（１）に記載の化粧料。
（３）二塩基酸のジエステルがリンゴ酸ジイソステアリルであることを特徴とする、（１）又は（２）に記載の化粧料。
（４）メークアップ化粧料であることを特徴とする、（１）〜（３）何れか１項に記載の化粧料。
（５）オイルゲル化粧料であることを特徴とする、（１）〜（４）何れか１項に記載の化粧料。
以下、本発明について実施の形態を中心に更に詳細に説明を加える。


【手続補正３】
【補正対象書類名】明細書
【補正対象項目名】０００７
【補正方法】変更
【補正の内容】
【０００７】
（２）本発明の化粧料の必須成分である積層樹脂小片
本発明の化粧料は積層樹脂小片を必須成分として含有することを特徴とする。この様な積層樹脂小片は所謂グリッター或いはスターライトグリッターと言われている樹脂薄膜積層小片であり、虹色の光沢を有する化粧料原料である。これらは例えばリップグロスやリップカラーなどに存在させ、光沢やパール色を演色する目的で使用される。これは、チタンマイカなどのパール剤とは異なり、油脂分で濡れて色や光沢が変わることが無いからである。この様な樹脂薄膜積層小片は、通常はポリエチレンテレフタレート、ポリエチレンテレフタレートとエポキシ樹脂、ポリエチレンテレフタレートとメチルメタクリレートなどの組合せの積層で、金箔、アルミニウム箔などの金属箔を構成に含むこともある。この様な樹脂薄膜積層小片には既に市販されているものがあり、本発明ではこの様な市販品を使用することが出来る。かかる市販品としては、尾池工業株式会社製のＭＡｕグリッター、ダイヤ工業株式会社製のダイヤホログラムシリーズ、ＤＣグリッターシリーズ、クリスタルカラーシリーズなどが例示でき、これらの中ではクリスタルカラーシリーズが環境的な配慮から特に好ましい。本発明のオイルゲルに於いては、樹脂薄膜積層小片は唯一種を含有することも出来るし、２種以上を含有することも出来る。本発明の化粧料に於ける、これら樹脂薄膜積層小片の好ましい含有量は、総量で０．１〜１０重量％であり、更に好ましくは０．５〜５重量％である。これは、この様なグリッター類は大きさが大きいため、多すぎると異物感により一過性の刺激を発現する場合があり、少なすぎると添加効果が得られないためである。


【手続補正４】
【補正対象書類名】明細書
【補正対象項目名】００１０
【補正方法】変更
【補正の内容】
【００１０】
＜実施例１＞以下に示す処方に従って、本発明のオイルゲル化粧料であるリップグロス１を作成した。即ち、処方成分を９０℃で攪拌加熱溶解し、良く混和した後、金型に流し込み冷却、固化させて取り出した後、容器に装着しリップグロスを得た。このもののリンゴ酸ジイソステアリルを酢酸イソステアリルに置換した比較例１、ミリスチン酸イソプロピルに置換した比較例２も同様に作成し、パネラー１群２０名を用いて、１ヶ月間の使用テストを行い、一過性の刺激発現の頻度を評価した。一過性の刺激発現は１回でも出現すれば例数１にカウントした。結果を表１に示す。これより、本発明の化粧料は安全性に優れることが判る。この様な効果は本発明がリンゴ酸ジイソステアリルの様な二塩基酸のジエステルを含有しているため、このものによる積層樹脂小片による一過性の刺激発現を抑制する作用によるものであることも明かである。また、これらのリップグロスの艶の良さも＋＋：非常によい、＋：よい、±：やや良い、−：悪いの基準で評価した。この結果も表１に示す。これより本発明の化粧料は安全性ばかりでなく、その艶の良さにも優れることがわかる。


【手続補正５】
【補正対象書類名】明細書
【補正対象項目名】００１２
【補正方法】変更
【補正の内容】
【００１２】
＜実施例２〜４＞実施例１と同様に、リップグロスをリンゴ酸ジイソステアリルの量を変えて作成し、刺激発現及び化粧効果との関係を調べた。これらの検討も実施例１と同様に１群２０名のパネラーを用いて行った。結果を表２に示す。この表より、リンゴ酸ジイソステアリル等の二塩基酸のジエステルの好ましい含有量としては、１０〜６０重量％であり、更に好ましくは３０〜５５重量％であることがわかる。
ポリブテン（ニッサンポリブテン）         ２５ 重量部
デキストリンパルミチン酸エステル         １０ 重量部
流動パラフィン＊
リンゴ酸ジイソステアリル＊
クリスタルカラー（ダイヤ工業製）           ２ 重量部
＊ ：詳細は表２に示す。
【手続補正書】
【提出日】平成15年7月28日(2003.7.28)
【手続補正１】
【補正対象書類名】明細書
【補正対象項目名】特許請求の範囲
【補正方法】変更
【補正の内容】
【特許請求の範囲】
【請求項１】
５８．０乃至６２．５％の平均酢化度を有するセルロースアセテートが有機溶媒中に溶解しているセルロースアセテート溶液であって、該溶媒がハロゲン化炭化水素を実質的に含まない炭素原子数が３乃至１２のエステルを含む溶媒であり、４０℃における見掛け粘度が１００乃至２０００ポアズであり、かつ４０℃から２℃／分の速度で冷却すると０℃以上の温度において見掛け粘度が１０００００ポアズ以上に達することを特徴とするセルロースアセテート溶液。
【請求項２】
セルロースアセテートが、２５０以上の粘度平均重合度を有する請求項１に記載のセルロースアセテート溶液。
【請求項３】
有機溶媒が、炭素原子数が３乃至１２のエステルを５０乃至９５重量％含む請求項１に記載のセルロースアセテート溶液。
【請求項４】
有機溶媒が、炭素原子数が１乃至５の直鎖状一価アルコールを含む請求項１に記載のセルロースアセテート溶液。
【請求項５】
有機溶媒が、炭素原子数が１乃至５の直鎖状一価アルコールを１乃至３０重量％含む請求項１に記載のセルロースアセテート溶液。
【請求項６】
セルロースアセテートが、１０乃至４０重量％含まれる請求項１に記載のセルロースアセテート溶液。
【請求項７】
５８．０乃至６２．５％の平均酢化度を有するセルロースアセテートが有機溶媒中に溶解しており、該溶媒がハロゲン化炭化水素を実質的に含まない溶媒であり、４０℃における見掛け粘度が１００乃至２０００ポアズであり、かつ４０℃から２℃／分の速度で冷却すると０℃以上の温度において見掛け粘度が１０００００ポアズ以上に達するセルロースアセテート溶液を支持体上に流延する工程および溶媒を蒸発させてフイルムを形成する工程からなるセルロースアセテートフイルムの製造方法。
【手続補正書】
【提出日】平成15年12月19日(2003.12.19)
【手続補正１】
【補正対象書類名】明細書
【補正対象項目名】特許請求の範囲
【補正方法】変更
【補正の内容】
【特許請求の範囲】
【請求項１】
アタッチメントとしてのサイドシフト型フォークムーバを備えたフォークリフトにおいて、その専用フォーク（３）の上部ブラケット（２）に防振処理を施した作業用のライト（１）を配置したことを特徴とするアタッチメント用の照明装置。
【手続補正２】
【補正対象書類名】明細書
【補正対象項目名】０００１
【補正方法】変更
【補正の内容】
【０００１】
【発明の属する技術分野】
フォークリフトのアタッチメントのサイドシフト型フォークムーバに用いる照明装置に関するものである。


【手続補正３】
【補正対象書類名】明細書
【補正対象項目名】０００４
【補正方法】変更
【補正の内容】
【０００４】
【課題を解決するための手段及び作用効果】
この発明は上記の課題に対処するためになされたもので、アタッチメントとしてのサイドシフト型フォークムーバを備えたフォークリフトにおいて、その専用フォークの上部ブラケットに防振処理を施した作業用のライトを配置したことを特徴とするアタッチメント用の照明装置としている。
【手続補正書】
【提出日】平成15年12月19日(2003.12.19)
【手続補正１】
【補正対象書類名】明細書
【補正対象項目名】０００３
【補正方法】変更
【補正の内容】
【０００３】
【発明が解決しようとする課題】
しかし上記従来技術による2段シリンダマストでは、前シリンダから後シリンダに切り替わる時と、後シリンダから前シリンダに切り替わる時に、受圧面積が変わるので、油量や圧力の過渡的な変化に伴って、上下方向にマストが振動し、オペレータにも振動が伝達した。この発明はこのような振動を小さくすることを課題としている。


【手続補正２】
【補正対象書類名】明細書
【補正対象項目名】００１１
【補正方法】変更
【補正の内容】
【００１１】
言い替えれば、マスト上昇時に前リフトシリンダ１がストローク端に到達し、後リフトシリンダ２に油圧が作用するようになる時や、下降時に後リフトシリンダ２がストローク端近くに到着し、クッション部３が作動するようになる時に、前リフトシリンダ１と後リフトシリンダ２の面積差などによる油量や油圧の過渡的な変化と、荷役装置のマスト部などによる重量効果(イナーシャ)により発生する水槌作用を、この流路に配置されたボール式ポペット弁４が抑制作用を発揮して、切り替わりショックが低減し効果を著しく向上することになる。
【手続補正書】
【提出日】平成15年11月4日(2003.11.4)
【手続補正１】
【補正対象書類名】明細書
【補正対象項目名】特許請求の範囲
【補正方法】変更
【補正の内容】
【特許請求の範囲】
【請求項１】
エレベータのかごを巻き上げる巻き上げロープの重量の不均衡を補償するために該エレベータかごの下部とつり合いおもりの下部とを接続するコンペンケーブルを有するエレベータ装置であって、
前記コンペンケーブルの最下部と昇降路の床面との距離としてのクリアランスを検出するクリアランス検出手段と、
該検出されたクリアランスに基づいて前記エレベータかごを運転制御する制御手段と、
を備え、
前記クリアランス検出手段は、
昇降路のエレベータかご側に設置され前記コンペンケーブル上の所定の位置の通過を検出する第１の通過検出手段と、
昇降路のつり合いおもり側に設置され前記コンペンケーブル上の所定の位置の通過を検出する第２の通過検出手段と、
前記第１第２の通過検出手段により前記コンペンケーブルの所定の位置の通過が検出されたときの前記エレベータかごの昇降位置を各々検出するかご位置検出手段と、を備え、  該各々検出された前記エレベータかごの昇降位置の偏差に基づいて前記クリアランスを検出する手段である、
エレベータ装置。
【請求項２】
エレベータのかごを巻き上げる巻き上げロープの重量の不均衡を補償するために該エレベータかごの下部とつり合いおもりの下部とを接続するコンペンケーブルを有するエレベータ装置であって、
前記コンペンケーブルの最下部と昇降路の床面との距離としてのクリアランスを検出するクリアランス検出手段と、
該検出されたクリアランスに基づいて前記エレベータかごを運転制御する制御手段と、
を備え、
前記クリアランス検出手段は、
前記コンペンケーブル上の所定の位置が、昇降路内の所定の位置を通過するときの前記エレベータかごの昇降位置を検出するかご位置検出手段を備え、該検出された前記エレベータかごの昇降位置に基づいて前記クリアランスを検出する手段である、
エレベータ装置。
【手続補正書】
【提出日】平成15年6月27日(2003.6.27)
【手続補正１】
【補正対象書類名】明細書
【補正対象項目名】００２２
【補正方法】変更
【補正の内容】
【００２２】
＜請求項７記載の発明＞
原料１００重量部に対し、バインダーを有効成分で１０重量部未満含む、請求項１〜６のいずれか１項に記載のキャリアテープ素材。


【手続補正２】
【補正対象書類名】明細書
【補正対象項目名】符号の説明
【補正方法】変更
【補正の内容】
【符号の説明】
１…パンチキャリアテープ、１Ａ…パンチキャビティ部、１Ｂ…マージナル部、２，６…トップテープ、３…ボトムテープ、５…エンボスキャリアテープ、５Ａ…エンボスキャビティ部、５Ｂ…マージナル部。